(57)【要約】【課題】原稿の画像を正確に読み取ることができる画像読み取り装置を提供する。【解決手段】画像読み取り装置１４は、故障検知部５１と、警告部５２と、入力受け付け部５３と、画像読み取り制御部５４とを備える。故障検知部５１は、第一の原稿長さ検知部４７の故障を検知する。警告部５２は、故障検知部５１により第一の原稿長さ検知部４７の故障が検知されれば、タッチパネル２１に警告を表示する。入力受け付け部５３は、故障検知部５１により第一の原稿長さ検知部４７の故障が検知されれば、原稿３１のサイズの入力を受け付ける。画像読み取り制御部５４は、入力受け付け部５３により原稿３１のサイズの入力を受け付ければ、受け付けられた原稿３１のサイズに応じて画像読み取り部４４により原稿３１の画像を読み取るよう制御する。【選択図】図４
2019062459.tif 000002
【特許請求の範囲】
【請求項１】
原稿の画像を読み取る画像読み取り装置であって、
情報を表示すると共に情報の入力を受け付けるタッチパネルを含む操作部と、
前記原稿の画像を読み取る画像読み取り部と、
画像を読み取らせる前記原稿がセットされる原稿セット台、および前記原稿セット台にセットされた原稿の所定の箇所における有無を検出することにより前記原稿の搬送方向である副走査方向の長さを検知する第一の原稿長さ検知部を含み、前記原稿を前記画像読み取り部に搬送する原稿搬送装置と、
前記第一の原稿長さ検知部の故障を検知する故障検知部と、
前記故障検知部により前記第一の原稿長さ検知部の故障が検知されれば、前記タッチパネルに警告を表示する警告部と、
前記故障検知部により前記第一の原稿長さ検知部の故障が検知されれば、前記原稿のサイズの入力を受け付ける入力受け付け部と、
前記入力受け付け部により前記原稿のサイズの入力を受け付ければ、受け付けられた前記原稿のサイズに応じて前記画像読み取り部により前記原稿の画像を読み取るよう制御する画像読み取り制御部とを備える、画像読み取り装置。
【請求項２】
前記警告部は、前記故障検知部により前記第一の原稿長さ検知部の故障が検知されれば、前記入力受け付け部を作動させる前に前記第一の原稿長さ検知部の故障を確認する表示を前記タッチパネルに表示し、前記第一の原稿長さ検知部の故障が確定されれば、前記第一の原稿長さ検知部が故障している旨を前記タッチパネルに表示すると共に、前記入力受け付け部を作動するよう制御する、請求項１に記載の画像読み取り装置。
【請求項３】
前記故障検知部は、前記原稿搬送装置による前記原稿の搬送を終了した後に、前記第一の原稿長さ検知部により前記原稿があることを検知すれば、前記第一の原稿長さ検知部が故障していることを検知する、請求項１または請求項２に記載の画像読み取り装置。
【請求項４】
前記原稿搬送装置は、前記原稿セット台にセットされた前記原稿の搬送方向と垂直な方向である主走査方向の長さを検知する第二の原稿長さ検知部をさらに含み、
前記入力受け付け部は、前記第二の原稿長さ検知部により検知された前記原稿の搬送方向と垂直な方向の長さから、前記原稿のサイズの候補を抽出するサイズ候補抽出部と、
前記サイズ候補抽出部により抽出された前記原稿のサイズの候補を前記タッチパネルに表示するよう制御する表示制御部とを含み、
前記入力受け付け部は、前記表示制御部により前記タッチパネルに表示するよう制御された前記原稿のサイズの候補の押下を検知することにより、前記原稿のサイズの入力を受け付ける、請求項１〜請求項３のいずれか１項に記載の画像読み取り装置。
【請求項５】
前記原稿の搬送経路の所定の箇所を前記原稿の先端が通過するタイミング、および前記原稿の後端が通過するタイミングを検知するタイミング検知部と、
前記タイミング検知部により検知された前記原稿の先端が通過するタイミング、および前記原稿の後端が通過するタイミングに基づいて前記原稿の搬送方向の長さを算出する搬送方向長さ算出部とをさらに備え、
前記故障検知部は、前記搬送方向長さ算出部により算出された前記原稿の搬送方向の長さから導出される前記原稿のサイズと、前記第一の原稿長さ検知部により検知される前記原稿の搬送方向の長さから導出される前記原稿のサイズとの間に差があれば、前記第一の原稿長さ検知部が故障していることを検知する、請求項１〜請求項４のいずれか１項に記載の画像読み取り装置。
【請求項６】
前記読み取り制御部は、前記入力受け付け部により前記原稿のサイズの入力を受け付けなければ、前記搬送方向長さ算出部により算出された前記原稿の搬送方向の長さから前記原稿のサイズを導出して、導出された前記原稿のサイズに応じて前記画像読み取り部により前記原稿の画像を読み取るよう制御する、請求項５に記載の画像読み取り装置。
【請求項７】
前記警告部は、前記第一の原稿長さ検知部の故障が確認されなければ、前記故障検知部による故障の検知前の画面を前記タッチパネルに表示するよう制御する、請求項２〜請求項６のいずれか１項に記載の画像読み取り装置。
【請求項８】
前記警告部は、前記第一の原稿長さ検知部の故障の確認が所定の回数以上行われたと判断すれば、前記第一の原稿長さ検知部の故障が確認されなくとも、前記第一の原稿長さ検知部が故障している旨を前記タッチパネルに表示する、請求項２〜請求項７に記載の画像読み取り装置。
【請求項９】
請求項１〜請求項８のいずれか１項に記載の前記画像読み取り装置と、
前記画像読み取り装置により読み取られた前記原稿の画像に基づいて画像を形成する画像形成部とを含む、画像形成装置。
【発明の詳細な説明】
【技術分野】
【０００１】
この発明は、画像読み取り装置、および画像形成装置に関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、画像形成時に故障が生じた場合に関する技術が、特開２００２−１３９９６７号公報（特許文献１）に開示されている。
【先行技術文献】
【特許文献】
【０００４】
【特許文献１】特開２００２−１３９９６７号公報
【発明の概要】
【発明が解決しようとする課題】
【０００５】
画像を読み取る画像読み取り装置は、画像を読み取る画像読み取り部に順次原稿を搬送する原稿搬送装置を備える場合がある。原稿搬送装置は、例えば、スタートキーの押下を条件として、複数枚セットされた原稿を一枚ずつ画像読み取り部に搬送する。また、原稿搬送装置には、セットされた原稿について、原稿のサイズに応じて原稿の画像を読み取らせるために、原稿の搬送方向である副走査方向の原稿の長さを検知する第一の原稿長さ検知部と、主走査方向の原稿の長さを検知する第二の原稿長さ検知部とが設けられている。
【０００６】
ここで、原稿搬送装置に含まれる第二の原稿サイズ検知部について故障が生ずると、原稿のサイズが不明となるため、正確な原稿の画像の読み取りを行うことができないこととなる。すなわち、誤った原稿のサイズで画像が読み取られることを防止する必要がある。このような場合に、特許文献１に開示の技術では、対応することができない。
【０００７】
この発明の目的は、原稿の画像を正確に読み取ることができる画像読み取り装置を提供することである。
【０００８】
この発明の他の目的は、原稿の画像に基づいた画像形成を適切に行うことができる画像形成装置を提供することである。
【課題を解決するための手段】
【０００９】
この発明の一の局面においては、画像読み取り装置は、原稿の画像を読み取る。画像読み取り装置は、操作部と、画像読み取り部と、原稿搬送装置と、故障検知部と、警告部と、入力受け付け部と、画像読み取り制御部とを備える。操作部は、情報を表示すると共に情報の入力を受け付けるタッチパネルを含む。画像読み取り部は、原稿の画像を読み取る。原稿搬送装置は、画像を読み取らせる原稿がセットされる原稿セット台、および原稿セット台にセットされた原稿の所定の箇所における有無を検出することにより原稿の搬送方向である副走査方向の長さを検知する第一の原稿長さ検知部を含み、原稿を画像読み取り部に搬送する。故障検知部は、第一の原稿長さ検知部の故障を検知する。警告部は、故障検知部により第一の原稿長さ検知部の故障が検知されれば、タッチパネルに警告を表示する。入力受け付け部は、故障検知部により第一の原稿長さ検知部の故障が検知されれば、原稿のサイズの入力を受け付ける。画像読み取り制御部は、入力受け付け部により原稿のサイズの入力を受け付ければ、受け付けられた原稿のサイズに応じて画像読み取り部により原稿の画像を読み取るよう制御する。
【００１０】
この発明の他の局面においては、画像形成装置は、上記の画像読み取り装置と、画像読み取り装置により読み取られた原稿の画像に基づいて画像を形成する画像形成部とを含む。
【発明の効果】
【００１１】
このような画像読み取り装置によると、第一の原稿長さ検知部が故障していれば、警告部により警告を表示するため、第一の原稿長さ検知部の修理や交換を促すことができる。また、第一の原稿長さ検知部の故障を検知したとしても、入力受け付け部により原稿のサイズの入力を受け付ければ、受け付けられた原稿のサイズに応じて画像読み取り部により原稿の画像を読み取ることができる。したがって、第一の原稿長さ検知部が故障していても、入力受け付け部により受け付けられた原稿のサイズに応じて原稿の画像を正確に読み取ることができる。
【００１２】
また、このような画像形成装置によると、原稿の画像に基づいた画像形成を適切に行うことができる。
【図面の簡単な説明】
【００１３】
【図１】この発明の一実施形態に係る画像読み取り装置を備える画像形成装置を複合機に適用した場合の複合機の外観図である。
【図２】図１に示す複合機の構成を示すブロック図である。
【図３】ＡＤＦを含む画像読み取り装置の一部を示す概略断面図である
【図４】制御部の構成を示すブロック図である。
【図５】ＡＤＦを利用して原稿の画像を読み取る際の処理の流れを示すフローチャートである。
【図６】故障確認画面の一例を示す図である。
【図７】故障モード時におけるＡＤＦを利用して原稿の画像を読み取る際の処理の流れを示すフローチャートである。
【図８】原稿のサイズの指定画面の一例を示す図である。
【図９】警告画面の一例を示す図である。
【発明を実施するための形態】
【００１４】
以下、この発明の実施の形態を説明する。なお、以下の図面において同一または相当する部分には同一の参照番号を付しその説明は繰返さない。
【００１５】
図１は、この発明の一実施形態に係る画像読み取り装置を備える画像形成装置を複合機に適用した場合の複合機１１の外観図である。図２は、図１に示す複合機１１の構成を示すブロック図である。図１中の矢印Ｄ１で示す向きおよびその逆の向きで副走査方向を示し、図１中の矢印Ｄ２で示す向きおよびその逆の向きで主走査方向を示す。
【００１６】
図１および図２を参照して、複合機１１は、画像処理に関し、コピー機能、プリンター機能、ファクシミリ機能等、複数の機能を有する。複合機１１は、制御部１２と、操作部１３と、画像読み取り装置１４と、画像形成部１５と、給紙カセット１６と、データを記憶する記憶部としてのハードディスク１７と、ネットワーク２３と接続するためのネットワークインターフェース部１８とを備える。
【００１７】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１９を含む。操作部１３は、操作の開始の契機となるスタートキーや数値の入力に用いられるテンキー等を含む。操作部１３は、複合機１１側から発信される情報やユーザーの入力内容を表示する表示部としてのタッチパネル２１を含む。タッチパネルは、情報を表示すると共に、情報の入力を受け付ける。画像読み取り装置１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り装置１４は、ＡＤＦ２２または原稿を載置する後述の載置台４１上にセットされた原稿の画像を読み取る。給紙カセット１６は複数設けられており、それぞれ複数枚の用紙をその内部に収納することができる。画像形成部１５は、画像読み取り装置１４により読み取られた原稿の画像データやネットワーク２３を介して送信された画像データを基に、給紙カセット１６から搬送されてきた用紙に画像を形成して印刷する。ハードディスク１７は、送信された画像データや入力された画像形成条件等、画像形成に関するデータを記憶する。なお、ハードディスク１７には、後述するサイズ候補抽出部５７により抽出される原稿３１のサイズの候補に関するデータも記憶されている。
【００１８】
次に、複合機１１に備えられる画像読み取り装置１４の構成について、さらに詳細に説明する。図３は、ＡＤＦ２２を含む画像読み取り装置１４の一部を示す概略断面図である。なお、図３における副走査方向を、矢印Ｄ１で示す向きまたはその逆の向きで示している。
【００１９】
図１〜図３を参照して、まず、画像読み取り装置１４に含まれるＡＤＦ２２の構成について説明する。ＡＤＦ２２は、搬送される複数の原稿３１をセットする原稿セット台３２と、原稿セット台３２にセットされた原稿３１を順次供給するピックアップローラー３３と、搬送する原稿３１を一枚ごとに分離する分離ローラー３４と、原稿３１を読み取り位置３５まで搬送する搬送ローラー３６、３７、３８と、読み取り位置３５で読み取られた原稿３１を排紙する排紙ローラー３９と、排紙された原稿３１が載置される排紙トレイ４０とを含む。
【００２０】
ＡＤＦ２２は、原稿セット台３２にセットされた原稿３１の副走査方向の長さを検知する第一の原稿長さ検知部としての副走査方向検知センサー４７と、原稿セット台３２にセットされた原稿３１の主走査方向の長さを検知する第二の原稿長さ検知部として主走査方向検知センサー４８と、原稿セット台３２に原稿がセットされているかを検知する原稿セット検知センサー５０とを含む。副走査方向検知センサー４７、主走査方向検知センサー４８および原稿セット検知センサー５０はそれぞれＰＩ（Ｐｈｏｔｏ  Ｉｎｔｅｒｒｕｐｔｅｒ）センサーであって、設けられた位置において原稿セット台３２上にセットされた原稿３１側、すなわち、図３中の矢印Ｄ３で示す上向きに光を照射し、反射光の受光の有無によって原稿３１の有無を検知する。このようなＰＩセンサーは、所定の箇所の原稿の有無を比較的簡易な構成で検知することができる。
【００２１】
副走査方向検知センサー４７、主走査方向検知センサー４８および原稿セット検知センサー５０はそれぞれ、原稿セット台３２の所定の箇所であって、それぞれ異なる位置に設けられている。具体的には、副走査方向検知センサー４７は、原稿セット台３２上にＡ３サイズの原稿３１がセットされた場合に、その上に原稿３１が位置し、主走査方向が長手方向となるようＡ４サイズの原稿３１がセットされた場合に、その上に原稿３１が位置しない位置に設けられている。また、副走査方向検知センサー４７が設けられる位置は、副走査方向が長手方向となるようＡ４サイズの原稿３１がセットされた場合、すなわち、Ａ４Ｒサイズの状態で原稿３１がセットされた場合、その上に原稿３１が位置する位置に設けられている。副走査方向検知センサー４７がオン状態を示すと、その上に原稿３１の一部が存在していることが把握できる。例えば、Ａ３サイズやＡ４Ｒサイズの原稿３１がセットされると、副走査方向検知センサー４７はオン状態となり、Ａ４サイズの原稿３１がセットされると、副走査方向検知センサー４７はオフ状態となる。
【００２２】
主走査方向検知センサー４８は、原稿セット台３２上に主走査方向が長手方向となるようＡ４サイズの原稿３１がセットされた場合に、その上に原稿３１が位置し、副走査方向が長手方向となるようＡ４Ｒサイズの原稿３１がセットされた場合に、その上に原稿３１が位置しない位置に設けられている。主走査方向検知センサー４８も副走査方向検知センサー４７と同様に、主走査方向検知センサー４８がオン状態を示すと、その上に原稿３１の一部が存在していることが把握できる。例えば、Ａ３サイズやＡ４サイズの原稿３１がセットされると、主走査方向検知センサー４８はオン状態となり、Ａ４Ｒサイズの原稿３１がセットされると、主走査方向検知センサー４８はオフ状態となる。
【００２３】
原稿セット検知センサー５０については、副走査方向の位置は主走査方向検知センサー４８と同じ位置であり、主走査方向の位置は、主走査方向のセンター位置に設けられている。
【００２４】
すなわち、副走査方向検知センサー４７および主走査方向検知センサー４８の双方がオン状態を検知すればＡ３サイズ、副走査方向検知センサー４７がオフ状態を検知し、主走査方向検知センサー４８がオン状態を検知すればＡ４サイズ、副走査方向検知センサー４７がオン状態を検知し、主走査方向検知センサー４８がオフ状態を検知すればＡ４Ｒサイズとなる。また、原稿セット検知センサー５０は、原稿３１がセットされていればオン状態を検知し、原稿３１がセットされていなければオフ状態を検知する。
【００２５】
ＡＤＦ２２は、原稿セット台３２から排紙トレイ４０に至る原稿３１の搬送経路の所定の箇所において、原稿３１の通過を検知するアクチュエーター４９を含む。この場合、アクチュエーター４９は、搬送ローラー３６の下流側であって搬送ローラー３７の上流側に設けられている。アクチュエーター４９は、搬送経路側に突起部の一部を突出させた構成であり、搬送経路側に位置しない側の突起部の端部を支点として図３中の矢印Ｒ１で示す向きに所定の角度回転可能な構成である。原稿３１が搬送され、アクチュエーター４９が設けられた位置に原稿３１の先端が達すると、アクチュエーター４９は、原稿３１の先端に押されて矢印Ｒ１で示す向きに回転する。そして、アクチュエーター４９が設けられた位置を原稿３１の後端が通過すると、図示しない弾性部材の付勢力により、アクチュエーター４９は、再び図３に示す状態に戻る。このアクチュエーター４９の動作を利用して、後述するタイミング検知部５５は、原稿３１の搬送経路の所定の箇所、この場合、アクチュエーター４９が設けられた箇所の原稿３１の先端が通過するタイミング、および原稿３１の後端が通過するタイミングを検知する。
【００２６】
次に、ＡＤＦ２２を含む画像読み取り装置１４の構成について説明する。画像読み取り装置１４は、画像を読み取る原稿３１を載置する載置台４１と、矢印Ｄ１またはその逆の方向で示す副走査方向に移動可能なキャリッジ４２と、画像が読み取られる原稿３１に対して光を照射する光照射部４３と、原稿３１からの反射光を集光する複数のミラーおよびレンズ（いずれも図示せず）と、原稿３１からの反射光から原稿３１の画像を読み取る画像読み取り部としてのＣＣＤ（Ｃｈａｒｇｅ  Ｃｏｕｐｌｅｄ  Ｄｅｖｉｃｅ）センサー４４と、載置台４１上に原稿３１を載置する際の基準位置を示す基準板４５と、基準板４５の横に設けられ、透明の部材で構成されるガラス板４６とを備える。イメージセンサーとしてのＣＣＤセンサー４４は、光照射部４３が原稿３１の画像に照射した光の反射光を受光可能である。
【００２７】
載置台４１は、その上に原稿３１を配置可能な透明板である。載置台４１としては、この実施形態では、コンタクトガラスを用いている。キャリッジ４２には、載置台４１の下方領域から上側に向かって光を照射する光照射部４３が設けられている。すなわち、光照射部４３は、キャリッジ４２の移動と共に、副走査方向に移動する。
【００２８】
光照射部４３は、いわゆる複数のＬＥＤ（Ｌｉｇｈｔ  Ｅｍｉｔｔｉｎｇ  Ｄｉｏｄｅ）を主走査方向に配置することにより構成されている。画像読み取り時に、光照射部４３は、原稿３１の読み取り位置３５に対して、図３中の矢印Ｅ１で示す方向に光を照射する。照射された光を受けて反射する原稿３１側からの反射光の方向は、図３中の矢印Ｅ２で示される。この矢印Ｅ２で示される方向に向かう反射光が、ミラーおよびレンズを介してＣＣＤセンサー４４によって受光される。
【００２９】
キャリッジ４２は、載置台４１上に載置された原稿３１の画像を読み取る際に、副走査方向、具体的には、矢印Ｄ１の方向に移動する。光照射部４３は、キャリッジ４２の移動に伴って副走査方向に移動しながら、載置台４１側に向かって光を照射する。そして、受けた光により載置台４１側、具体的には、載置台４１の上に載置された原稿３１側から反射される反射光を複数のミラーおよびレンズによって集光する。集光した光をＣＣＤセンサー４４に入力させることにより、載置台４１上に載置された原稿３１の画像を読み取る。このようにして、いわゆる原稿３１の画像のスキャンを行い、原稿３１の画像を読み取る。原稿３１の画像を読み取った後、読み取られた原稿３１の画像データを基に、画像形成部１５により画像を形成し、用紙等に出力する。
【００３０】
なお、ＡＤＦ２２によって搬送されてきた原稿３１の画像を読み取る際には、キャリッジ４２は、副走査方向において、ガラス板４６の位置に留められる。そして、読み取り位置３５で、ＡＤＦ２２によって搬送されてきた原稿３１の画像を読み取る。
【００３１】
画像読み取り装置１４は、白黒原稿はもちろん、カラー原稿における色情報についても読み取ることができる。なお、載置台４１に載置された原稿３１の画像の読み取りは、操作部１３に設けられたスタートキーの押下の検知を待って行われる。
【００３２】
次に、複合機１１に備えられる制御部１２の構成について説明する。図４は、制御部１２の構成を示すブロック図である。図４を参照して、制御部１２は、故障検知部５１と、警告部５２と、入力受け付け部５３と、画像読み取り制御部５４と、タイミング検知部５５と、搬送方向長さ算出部５６とを含む。故障検知部５１は、副走査方向検知センサー４７の故障を検知する。警告部５２は、故障検知部５１により副走査方向検知センサー４７の故障が検知されれば、タッチパネル２１に警告を表示する。入力受け付け部５３は、故障検知部５１により副走査方向検知センサー４７の故障が検知されれば、原稿３１のサイズの入力を受け付ける。入力受け付け部５３は、サイズ候補抽出部５７と、表示制御部５８とを含む。サイズ候補抽出部５７は、主走査方向検知センサー４８により検知された原稿３１の搬送方向と垂直な方向の長さから、原稿３１のサイズの候補を抽出する。表示制御部５８は、サイズ候補抽出部５７により抽出された原稿３１のサイズの候補をタッチパネル２１に表示するよう制御する。画像読み取り制御部５４は、入力受け付け部５３により原稿３１のサイズの入力を受け付ければ、受け付けられた原稿３１のサイズに応じてＣＣＤセンサー４４により原稿３１の画像を読み取るよう制御する。タイミング検知部５５は、原稿３１の搬送経路の所定の箇所を原稿３１の先端が通過するタイミング、および原稿３１の後端が通過するタイミングを検知する。搬送方向長さ算出部５６は、タイミング検知部５５により検知された原稿３１の先端が通過するタイミング、および原稿３１の後端が通過するタイミングに基づいて原稿３１の搬送方向の長さを算出する。画像読み取り制御部５４は、入力受け付け部５３により原稿３１のサイズの入力を受け付けなければ、搬送方向長さ算出部５６により算出された原稿３１の搬送方向の長さから導出される原稿３１のサイズに応じてＣＣＤセンサー４４により原稿３１の画像を読み取るよう制御する。これらの構成の詳細については、後に詳述する。
【００３３】
次に、このような複合機１１により、ＡＤＦ２２を利用して原稿３１の画像を読み取る際の処理の流れについて説明する。図５は、ＡＤＦ２２を利用して原稿３１の画像を読み取る際の処理の流れを示すフローチャートである。
【００３４】
併せて図５を参照して、操作部１３におけるスタートキーの押下を検知すると、画像の読み取りのために原稿セット台３２にセットされた原稿３１の搬送を開始する（図５において、ステップＳ１１、以下、「ステップ」を省略する）。なお、この時、原稿セット検知センサー５０はオン状態となっている。
【００３５】
原稿の搬送時において、原稿３１の主走査方向の長さ、および副走査方向である搬送方向の長さを検知する。この場合、副走査方向検知センサー４７および主走査方向検知センサー４８により検知する。
【００３６】
ここで、原稿セット検知センサー５０がオフ状態となり、ＡＤＦ２２により原稿セット台３２にセットされた全ての原稿３１の搬送が終了した（Ｓ１２）にも関わらず、例えば、副走査方向検知センサー４７のオン状態が続いていれば、故障検知部５１は、副走査方向検知センサー４７の故障を検知する（Ｓ１３において、ＹＥＳ）。すなわち、故障検知部５１は、ＡＤＦ２２による原稿３１の搬送を終了した後に、副走査方向検知センサー４７により原稿３１があることを検知すれば、副走査方向検知センサー４７がオン状態のままで、オフ状態に遷移しない故障状態であることを検知する。
【００３７】
また、原稿セット検知センサー５０の給紙開始からのオン時間、または搬送方向長さ算出部５６により算出された原稿３１の搬送方向の長さに基づき、副走査方向検知センサー４７がオン状態となるべきにも関わらずオフ状態のままである場合には、副走査方向検知センサー４７がオン状態に遷移しない故障状態として検知する。
【００３８】
故障検知部５１により故障を検知すると、警告部５２は、副走査方向検知センサー４７の故障を確認する画面である故障確認画面をタッチパネル２１に表示して確認を行う（Ｓ１４）。図６は、故障確認画面の一例を示す図である。図６を参照して、タッチパネル２１には、故障確認画面６１として、「副走査方向検知センサーが故障している可能性があります。」との警告のメッセージ６２と、「Ａ３原稿のセット、取り除きを繰り返してください。」との文字６３と、「ＯＫ」と表記され、押下を検知することにより故障確認画面６１を次の画面へ遷移させる確認キー６４とが表示されている。原稿３１の画像を読み取らせようとするユーザーは、文字６３に従い、原稿セット台３２にＡ３サイズの原稿３１をセットしたり、取り除いたりする。そして、確認キー６４を押下する。なお、ここでは、Ａ３サイズの原稿３１を用いることとしたが、副走査方向検知センサー４７の位置でＡ３サイズ以外の原稿３１やユーザーの手等の副走査方向検知センサー４７を翳すように指示してもよい。
【００３９】
警告部５２は、確認キー６４が押下された時点で、副走査方向検知センサー４７のオン状態またはオフ状態が継続した状態であると、副走査方向検知センサー４７が故障していることを確定する。故障が確定されると（Ｓ１５において、ＹＥＳ）、故障モードに移行する（Ｓ１６）。
【００４０】
なお、警告部５２は、故障確認画面６１を表示してから確認キー６４の押下を検知した時までに、副走査方向検知センサー４７が一度でもオン状態からオフ状態へ移行したとき、またはオフ状態からオン状態へ移行したときは、副走査方向検知センサー４７が故障していないことを確定し（Ｓ１５において、ＮＯ）、故障モードに移行することなく処理を終了する。
【００４１】
なお、Ｓ１３において、副走査方向検知センサー４７の故障を検知しなければ（Ｓ１３において、ＮＯ）、そのまま原稿３１のサイズを確定させて、すなわち、副走査方向検知センサー４７および主走査方向検知センサー４８の検知状態に基づいて原稿３１のサイズを確定させ、原稿３１の画像を読み取る。そして、読み取られた原稿３１の画像に基づいて、画像形成部１５により画像を形成し、処理を終了する。
【００４２】
次に、故障モードでのＡＤＦ２２を利用して原稿３１の画像を読み取る際の処理の流れについて説明する。図７は、故障モード時におけるＡＤＦ２２を利用して原稿３１を読み取る際の処理の流れを示すフローチャートである。
【００４３】
図７を参照して、故障モード時においては、タッチパネル２１において、副走査方向検知センサー４７が故障している旨を表示する（Ｓ２１）。図８は、警告画面の一例を示す図である。図８を参照して、タッチパネル２１には、警告画面７１として、「副走査方向検知センサーが故障しています。」とのメッセージ７２と、「ＯＫ」と表記され、押下を検知することにより警告画面７１を次の画面へ遷移させる確認キー７４とが表示されている。次に複合機１１を利用するユーザーは、メッセージ７２を見て、副走査方向検知センサーが故障している旨を認識する。そして、処理を続ける際には、確認キー７４を押下して、次の画面、例えば、原稿のサイズを指定する画面へ移行する。
【００４４】
その後、表示制御部５８は、原稿のサイズの指定画面を表示する（Ｓ２２）。この場合、サイズ候補抽出部５７は、主走査方向検知センサー４８により検知された原稿３１の主走査方向、すなわち、原稿３１の搬送方向に垂直な方向の長さから原稿３１のサイズの候補を抽出する。具体的には、原稿３１の搬送時において主走査方向検知センサー４８がオン状態であれば、原稿セット台３２にセットされた原稿３１のサイズとして、Ａ３サイズおよびＡ４サイズを候補として抽出する。そして、表示制御部５８は、サイズ候補抽出部５７により抽出された原稿３１のサイズの候補をタッチパネル２１に表示するよう制御する。
【００４５】
図９は、原稿３１のサイズの指定画面の一例を示す図である。図９を参照して、タッチパネル２１には、原稿３１のサイズの指定画面６６として、「原稿のサイズを指定してください。」との文字６７と、「Ａ３」と表記されており、押下により原稿３１のサイズをＡ３サイズに指定する指定キー６８ａと、「Ａ４」と表記されており、押下により原稿３１のサイズをＡ４サイズに指定する指定キー６８ｂとが表示されている。ユーザーは読み取らせる原稿３１に基づいて、いずれかの指定キー６８ａ、６８ｂを押下する。例えば、具体的には、ユーザーは、Ａ４サイズを指定すべく指定キー６８ｂを押下する。
【００４６】
ここで、原稿３１のサイズが指定されると（Ｓ２３において、ＹＥＳ）、画像読み取り制御部５４は、指定された原稿３１のサイズに応じて画像を読み取る（Ｓ２４）。その後、読み取られた原稿３１の画像に基づいて、画像形成部１５により画像を形成する（Ｓ２５）。
【００４７】
ここで、Ｓ２３において、原稿３１のサイズが指定されなければ（Ｓ２３において、ＮＯ）、すなわち、入力受け付け部５３により原稿３１のサイズの入力を受け付けなければ、画像読み取り制御部５４は、搬送方向長さ算出部５６により算出された原稿３１の搬送方向の長さに基づいて原稿３１のサイズを導出し、導出した原稿３１のサイズに応じてＣＣＤセンサー４４により原稿３１の画像を読み取るよう制御する（Ｓ２６）。なお、搬送方向長さ算出部５６は、タイミング検知部５５により検知された原稿３１の先端が通過するタイミングおよび原稿３１の後端が通過するタイミング、さらに、原稿３１の搬送速度から、原稿３１の搬送方向の長さを算出する。そして、算出された原稿３１の搬送方向の長さ、および主走査方向検知センサー４８により検知された原稿３１の主走査方向の長さから、原稿３１のサイズを導出する。そして、導出された原稿のサイズに基づいて原稿３１の画像を読み取る。その後、読み取られた原稿３１の画像に基づいて、画像形成部１５により画像を形成する（Ｓ２５）。
【００４８】
このような複合機１１によると、副走査方向検知センサー４７が故障していれば、警告部５２により警告を表示するため、副走査方向検知センサー４７の修理や交換を促すことができる。また、副走査方向検知センサー４７の故障を検知したとしても、入力受け付け部５３により原稿３１のサイズの入力を受け付ければ、受け付けられた原稿３１のサイズに応じてＣＣＤセンサー４４により画像を読み取ることができる。したがって、副走査方向検知センサー４７が故障していても、入力受け付け部５３により受け付けられた原稿３１のサイズに応じて原稿３１の画像を正確に読み取ることができる。
【００４９】
また、複合機１１は、画像読み取り装置１４により原稿３１の画像を正確に読み取ることができるため、原稿３１の画像に基づいた画像形成を適切に行うことができる。
【００５０】
この場合、警告部５２は、故障検知部５１により副走査方向検知センサー４７の故障が検知されれば、入力受け付け部５３を作動させる前に副走査方向検知センサー４７の故障を確認する表示をタッチパネル２１に表示し、副走査方向検知センサー４７の故障が確定されれば、副走査方向検知センサー４７が故障している旨をタッチパネル２１に表示すると共に、入力受け付け部５３を作動するよう制御する構成であるため、副走査方向検知センサー４７の故障の判断をより正確に行うことができる。
【００５１】
また、この場合、入力受け付け部５３は、表示制御部５８によりタッチパネル２１に表示するよう制御された原稿３１のサイズの候補の押下を検知することにより、原稿３１のサイズの入力を受け付ける構成であるため、原稿３１のサイズの入力の際に、原稿３１のサイズの入力の誤りを防止すると共に、原稿３１のサイズの入力の効率化を図ることができる。
【００５２】
また、この場合、警告部５２は、副走査方向検知センサー４７の故障が確認されなければ、故障検知部５１により故障を検知する前の画面をタッチパネル２１に表示するよう制御しているため、確認により故障ではないと判断した場合に不適切な表示を回避することができる。
【００５３】
また、この場合、画像読み取り制御部５４は、入力受け付け部５３により原稿３１のサイズの入力を受け付けなければ、搬送方向長さ算出部５６により算出された原稿３１の搬送方向の長さから原稿３１のサイズを導出して、導出された原稿のサイズに応じてＣＣＤセンサー４４により原稿３１の画像を読み取るよう制御するため、入力受け付け部５３による原稿３１のサイズの入力が受け付けられなかった場合でも、原稿３１のサイズを導出して正確に原稿３１の画像を読み取ることができる。
【００５４】
また、上記の実施の形態において、入力受け付け部５３により受け付けられた原稿３１のサイズと、原稿長さ算出部５６により算出された原稿３１の搬送方向の長さから導出された原稿３１のサイズに差があった場合には、その旨をタッチパネル２１において警告するようにしてもよい。こうすることにより、入力受け付け部５３により入力された原稿３１のサイズに誤りがあった場合に、その旨を指摘することができる。
【００５５】
なお、上記の実施の形態において、警告部５２は、副走査方向検知センサー４７の故障の確認が所定の回数以上行われたと判断すれば、副走査方向検知センサー４７の故障が確認されなくとも、副走査方向検知センサー４７が故障している旨をタッチパネル２１に表示するよう制御する構成としてもよい。こうすることにより、副走査方向検知センサー４７の故障の疑いが高い状態の時にその旨をタッチパネル２１に表示して、副走査方向検知センサー４７の修理や交換を促すことができる。
【００５６】
また、上記の実施の形態において、故障検知部５１は、搬送方向長さ算出部５６により算出された原稿３１の搬送方向の長さから導出される原稿３１のサイズと、副走査方向検知センサー４７により検知される原稿３１の搬送方向の長さから導出される原稿３１のサイズとの間に差があれば、副走査方向検知センサー４７が故障していることを検知できる。こうすることによっても、副走査方向検知センサー４７が故障していることを適切に判断することができる。
【００５７】
なお、上記の実施の形態において、警告部５２は、故障確認画面６１を表示せずに故障である旨をタッチパネル２１に表示するようにしてもよい。
【００５８】
また、上記の実施の形態において、副走査方向検知センサー４７および主走査方向検知センサー４８は、ＰＩセンサーを用いることとしたが、これに限らず、他のタイプのセンサーを用いることとしてもよい。
【００５９】
なお、上記の実施の形態において、制御部１２、操作部１３等は、複合機１１に備えられることとしたが、これに限らず、画像読み取り装置１４が制御部１２、操作部１３等の構成を備えることとしてもよい。すなわち、例えば、画像読み取り装置１４は、情報を表示すると共に情報の入力を受け付けるタッチパネルを含む操作部と、原稿の画像を読み取る画像読み取り部と、画像を読み取らせる原稿がセットされる原稿セット台、および原稿セット台にセットされた原稿の所定の箇所における有無を検出することにより原稿の搬送方向である副走査方向の長さを検知する第一の原稿長さ検知部を含み、原稿を画像読み取り部に搬送する原稿搬送装置と、第一の原稿長さ検知部の故障を検知する故障検知部と、故障検知部により第一の原稿長さ検知部の故障が検知されれば、タッチパネルに警告を表示する警告部と、故障検知部により第一の原稿長さ検知部の故障が検知されれば、原稿のサイズの入力を受け付ける入力受け付け部と、入力受け付け部により原稿のサイズの入力を受け付ければ、受け付けられた原稿のサイズに応じて画像読み取り部により原稿の画像を読み取るよう制御する画像読み取り制御部とを備える構成としてもよい。
【００６０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６１】
この発明に係る画像読み取り装置、および画像形成装置は、原稿の画像の正確な読み取りが要求される場合に、特に有効に利用される。
【符号の説明】
【００６２】
１１  複合機、１２  制御部、１３  操作部、１４  画像読み取り装置、１５  画像形成部、１６  給紙カセット、１７  ハードディスク、１８  ネットワークインターフェース部、１９  主記憶メモリ、２１  タッチパネル、２２  ＡＤＦ、２３  ネットワーク、３１  原稿、３２  原稿セット台、３３  ピックアップローラー、３４  分離ローラー、３５  読み取り位置、３６，３７，３８  搬送ローラー、３９  排紙ローラー、４０  排紙トレイ、４１  載置台、４２  キャリッジ、４３  光照射部、４４  ＣＣＤセンサー、４５  基準板、４６  ガラス板、４７  副走査方向検知センサー、４８  主走査方向検知センサー、４９  アクチュエーター、５０  原稿セット検知センサー、５１  故障検知部、５２  警告部、５３  入力受け付け部、５４  画像読み取り調整部、５５  タイミング検知部、５６  搬送方向長さ算出部、５７  サイズ候補抽出部、５８  表示制御部、６１  故障確認画面、６２，７２  メッセージ、６３，６７  文字、６４，７４  確認キー、６６  指定画面、６８ａ，６８ｂ  指定キー、７１  警告画面。
【図１】
2019062459.tif 000003
【図２】
2019062459.tif 000004
【図３】
2019062459.tif 000005
【図４】
2019062459.tif 000006
【図５】
2019062459.tif 000007
【図６】
2019062459.tif 000008
【図７】
2019062459.tif 000009
【図８】
2019062459.tif 000010
【図９】
2019062459.tif 000011